(57)【特許請求の範囲】
【請求項１】
電子部品と電気的に接続されるフレキシブル基板と、
内周に第１のカム溝と、前記フレキシブル基板を挿通させるスリットが形成された駆動環と、
前記駆動環の内周に配置される固定カム環と、
前記第１のカム溝に追従して移動するレンズ保持枠と、を有し、
前記駆動環および前記固定カム環のいずれか一方には前記駆動環を光軸方向へ移動させるための第２のカム溝が形成されており、他方には前記第２のカム溝に沿って摺動するフォロワ手段が形成されており、
前記スリットは、前記第１のカム溝よりも前記光軸方向において被写体側に配置され、
非撮影時に前記フレキシブル基板が挿通するスリットの非撮影領域は、撮影時に前記フレキシブル基板が挿通するスリットの撮影領域に対して、前記光軸方向において被写体側に位置するように形成されていることを特徴とする光学機器。
【請求項２】
前記第１のカム溝の被写体側の先端部は、前記光軸方向において前記スリットの前記非撮影領域の位置と前記撮影領域の位置との間に形成されていることを特徴とする請求項１に記載の光学機器。
【請求項３】
前記第２のカム溝は、前記スリットよりも前記光軸方向において被写体側に形成されていることを特徴とする請求項１または２に記載の光学機器。
【請求項４】
前記スリットは、前記第２のカム溝よりも前記光軸方向において被写体側に形成されていることを特徴とする請求項１または２に記載の光学機器。
【請求項５】
前記固定カム環には、前記フレキシブル基板を挿通させる挿通穴が形成されており、
前記挿通穴と前記スリットで形成される開口は、前記光軸方向において、前記フレキシブル基板の厚みよりも大きいことを特徴とする請求項１から４のいずれか１項に記載の光学機器。
【請求項６】
前記駆動環は、初期位置を検出する検出手段を備え、
前記第２のカム溝は、前記駆動環が回転動作を開始し前記検出手段が初期位置を検出した後に、前記駆動環が前記光軸方向へ移動するように形成されていることを特徴とする請求項１から５のいずれか１項に記載の光学機器。
【発明の詳細な説明】
【技術分野】
【０００１】
本発明は、光学機器に関する。
【背景技術】
【０００２】
近年のデジタルカメラでは、カメラ本体を薄型化しながらも、ズーム倍率を高倍率化する要望が強くなっている。そのため、レンズ群の移動ストロークをできるだけ大きく取りながらも、カメラ本体の小型化が可能な構造が求められている。
【０００３】
沈胴式のズームレンズ鏡筒では、レンズ群の移動ストロークを確保するために、光軸方向へ延出するようにカム筒にカム溝を形成する必要がある。例えば、繰り出した１つのカム筒に対してその光軸方向の幅一杯にカム溝を形成して内部のレンズ群の移動ストロークを稼ぐとともに、カム筒の外側にもカム溝を設けてレンズ群を保持し、光軸方向に移動させる構造が求められている。また、光学性能向上のためにレンズ鏡筒を構成するレンズ群の数が増えてきている。
【０００４】
特許文献１では、カム筒を光軸方向へ回転移動させるために回転動作を行う駆動環にもレンズ群を光軸方向へ移動させるためのカム溝を形成することで、より多くのレンズ群を駆動させる構成が提案されている。
【先行技術文献】
【特許文献】
【０００５】
【特許文献１】特開２０１４−１３２９８号公報
【発明の概要】
【発明が解決しようとする課題】
【０００６】
従来、駆動環には、鏡筒内部のシャッタ部材などの配線を鏡筒外に排出するためのスリットが形成されている。特許文献１の構成では、駆動環に形成されたスリットとカム溝との干渉を避けるために、カム溝から一定の距離をあけた位置にスリットを形成する必要があるため、カム筒が厚くなり、結果としてカメラ本体の大型化につながってしまう。
【０００７】
このような課題を鑑みて、本発明は、撮影倍率の高倍率化と小型化を両立可能な光学機器を提供することを目的とする。
【課題を解決するための手段】
【０００８】
本発明の一側面としての光学機器は、電子部品と電気的に接続されるフレキシブル基板と、内周に第１のカム溝と、前記フレキシブル基板を挿通させるスリットが形成された駆動環と、前記駆動環の内周に配置される固定カム環と、前記第１のカム溝に追従して移動するレンズ保持枠と、を有し、前記駆動環および前記固定カム環のいずれか一方には前記駆動環を光軸方向へ移動させるための第２のカム溝が形成されており、他方には前記第２のカム溝に沿って摺動するフォロワ手段が形成されており、前記スリットは、前記第１のカム溝よりも前記光軸方向において被写体側に配置され、非撮影時に前記フレキシブル基板が挿通するスリットの非撮影領域は、撮影時に前記フレキシブル基板が挿通するスリットの撮影領域に対して、前記光軸方向において被写体側に位置するように形成されていることを特徴とする。
【発明の効果】
【０００９】
本発明によれば、撮影倍率の高倍率化と小型化を両立可能な光学機器を提供することができる。
【図面の簡単な説明】
【００１０】
【図１】本発明の実施形態に係る光学機器の一例である撮像装置の沈胴時の鏡筒断面図である。
【図２】撮像装置の撮影時の鏡筒断面図である。
【図３】ズームレンズ鏡筒の分解斜視図である。
【図４】化粧環、直進ガイド筒および移動カム環の外観図である。
【図５】固定カム環の内面展開図である。
【図６】駆動環の内面展開図である。
【図７】絞りユニットおよび３群ユニットのＦＰＣ基板が外部に排出されている状態を示すズームレンズ鏡筒の斜視図である。
【図８】固定カム筒と駆動環が収納状態から撮影状態に移行する様子を示す図である。
【発明を実施するための形態】
【００１１】
以下、本発明の実施例について、図面を参照しながら詳細に説明する。各図において、同一の部材については同一の参照番号を付し、重複する説明は省略する。本実施形態では、本発明の光学機器の一例として、撮像装置を用いて説明する。
【００１２】
図１〜３を用いて、本実施形態のズームレンズ鏡筒（以下、レンズ鏡筒という）のレンズ系の全体構成について説明する。図１は、撮影待機状態であり、レンズ群が収納状態となっている沈胴状態の撮像装置の鏡筒断面図である。図２は、各レンズ群が繰り出した撮影状態となっている撮像装置の鏡筒断面図である。図３は、レンズ鏡筒の分解斜視図である。
【００１３】
本実施形態のレンズ鏡筒は、５群レンズ構成であり、ズーム動作によって各レンズ群を光軸に沿って移動させることができる。１群ユニットは、第１レンズ群１１を保持する１群レンズ保持枠１０２と、１群レンズ保持枠１０２を保持し、レンズを保護するレンズバリア部材を備える１群地板１０１と、を有する。２群レンズ保持枠１０３は、第２レンズ群１２を保持する。絞りユニット１０４は、撮影時の光量調整部材である。３群ユニットは、第３レンズ群１３を保持する３群レンズ保持枠１０５と、シャッタ部材（不図示）を備える３群地板１０６と、を有する。４群レンズ保持枠１０７は、第４レンズ群１４を保持する。５群レンズ保持枠１０８は、４群レンズ保持枠１０７を光軸方向へ直進移動可能に保持するとともに、第５レンズ群１５，１６を保持する。１群ユニット、２群レンズ保持枠１０３、絞りユニット１０４、３群ユニットおよび５群レンズ保持枠１０８は、変倍系のレンズ群である。３群ユニットは、防振機構を備え、撮影中に３群レンズ保持枠１０５が光軸と直交する方向へ移動することで、撮影時の手振れなどを補正する。４群レンズ保持枠１０７は、被写体にピントを合わせるためのフォーカスレンズとなっている。
【００１４】
センサホルダユニット１０９は、ズーム機構を構成する部品であるカバー筒１１５にビス（不図示）で締結されている。センサホルダユニット１０９は、センサプレート１１７を介して被写体を撮像するための撮像センサ１８を保持している。撮像センサ１８の前側には、センサホルダユニット１０９とセンサゴム１１６に挟まれて光学フィルタ１７が配置されている。センサゴム１１６は、外部からのゴミの侵入を防ぐために、光学フィルタ１７と撮像センサ１８との間を密閉している。また、センサホルダユニット１０９には各レンズ群のズーム動作を行うための駆動源であるズームモータ１０９ａが設けられ、ズームモータ１０９ａの駆動軸にはギヤ列（不図示）が取り付けられている。ズームモータ１０９ａの駆動力がギヤ列を介して鏡筒部材に伝達されることで、レンズ鏡筒は光軸方向へ駆動する。
【００１５】
次に、４群レンズ保持枠１０７と５群レンズ保持枠１０８について説明する。
【００１６】
４群レンズ保持枠１０７には、ナット部１０７ａが設けられている。ナット部１０７ａは、バネ１０７ｂによって４群レンズ保持枠１０７に対して光軸方向へ付勢されているため、４群レンズ保持枠１０７と一体的に移動可能となっている。
【００１７】
５群レンズ保持枠１０８には、４群レンズ保持枠１０７を駆動させるためのスクリュー軸が形成された駆動源１０８ａが設置されている。また、５群レンズ保持枠１０８には、光軸と平行なメインガイド軸１０８ｂと回転規制用のサブガイド軸１０８ｃが圧入されて固定されている。メインガイド軸１０８ｂとサブガイド軸１０８ｃには、それぞれ４群レンズ保持枠１０７に形成されたガイド部１０７ｃ，１０７ｄが摺動可能に嵌っている。５群レンズ保持枠１０８の駆動源１０８ａが駆動を開始すると、スクリュー軸とナット部１０７ａが螺合し、スクリュー軸の回転により４群レンズ保持枠１０７は光軸方向へ移動する。４群レンズ保持枠１０７および５群レンズ保持枠１０８は、フォーカスレンズ機構として機能する。
【００１８】
次に、各レンズ群を光軸方向へ移動させるための鏡筒部材と鏡筒駆動機構について説明する。
【００１９】
各レンズ群の外周には、移動カム環１１２が配置されている。移動カム環１１２の内周には、軌跡の異なる３種類のカム溝１１２ａが形成されている。２群レンズ保持枠１０３、絞りユニット１０４および３群ユニットの外周に形成されているフォロワピン１０３ａ，１０４ｂ，１０６ｂは、それぞれ軌跡の異なるカム溝１１２ａに沿って摺動する。
【００２０】
移動カム環１１２の内周には、各レンズ群が移動する際に回転を規制する直進ガイド筒１１１が設けられている。直進ガイド筒１１１と移動カム環１１２は、バヨネット結合されて略一体的に光軸方向へ移動する。移動カム環１１２は、直進ガイド筒１１１に対して相対的に回転可能となっている。
【００２１】
直進ガイド筒１１１には、光軸方向へ延在する長溝１１１ａ，１１１ｂ，１１１ｃが形成されている。２群レンズ保持枠１０３、絞りユニット１０４および３群ユニットは、長溝１１１ａ，１１１ｂ，１１１ｃによって回転規制されることで、光軸方向へ直進移動する。
【００２２】
移動カム環１１２の外周には、カム溝１１２ｂが形成されている。移動カム環１１２の外周に配置された１群ユニットの内周に形成されているフォロワピンは、カム溝１１２ｂに沿って摺動する。１群ユニットは、１群地板１０１の内周に形成されている直進ガイド溝１０１ａと直進ガイド筒１１１に形成されているガイド突起１１１ｄが摺動可能に嵌合することで回転規制され、光軸方向へ直進移動する。
【００２３】
したがって、移動カム環１１２が回転動作することにより、１群ユニット、２群レンズ保持枠１０３、絞りユニット１０４および３群ユニットが回転規制されながら光軸方向へ直進移動する。
【００２４】
１群ユニットの外周には、化粧環１１０が設けられており、移動カム環１１２と一体的に動作する。移動カム環１１２の外周には固定カム環１１３が配置され、固定カム環１１３の外周には駆動環１１４が配置され、駆動環１１４の外周にはカバー筒１１５が配置されている。固定カム環１１３は、カバー筒１１５とセンサホルダユニット１０９に挟み込まれて一体的に構成されているため、光軸方向にも回転方向にも動くことはない。
【００２５】
図４は、化粧環１１０、直進ガイド筒１１１および移動カム環１１２の外観図、図５は固定カム環１１３の内面展開図、図６は駆動環１１４の内面展開図である。
【００２６】
固定カム環１１３の内周には、カム溝１１３ａ、カム溝１１３ａと同じ軌跡のスリット状の貫通カム穴１１３ｂ、化粧環逃げ用カム溝１１３ｃおよび直線状の溝である直進ガイド溝１１３ｄ１，１１３ｄ２が形成されている。また、光軸方向へ延在する貫通穴１１３ｅ、逃げ部１１３ｆおよび回転規制壁部１１３ｇが形成されている。さらに、レンズ鏡筒が収納状態であるときにＦＰＣ基板（フレキシブル基板）１０４ａ，１０６ａを引っ掛かりなく収納するためのＦＰＣガイド溝１１３ｈおよびＦＰＣ基板１０４ａ，１０６ａを挿通させるＦＰＣ挿通穴１１３ｉが形成されている。移動カム環１１２の外周に形成されているフォロワピン１１２ｄは、カム溝１１３ａに沿って摺動する。移動カム環１１２の外周に形成されている移動カム環駆動ピン１１２ｅは、貫通カム穴１１３ｂから光軸方向において所定の間隔があくように形成されている。直進ガイド筒１１１の直進規制部１１１ｅは、直進ガイド溝１１３ｄ１，１１３ｄ２と摺動自在に嵌合している。５群レンズ保持枠１０８は、貫通穴１１３ｅの側面に摺動可能に嵌合することで回転規制される。
【００２７】
駆動環１１４の内周には、５群駆動用カム溝１１４ａ、ＦＰＣ排出スリット１１４ｂ、駆動環駆動用カム溝１１４ｃおよび直線状の溝である移動カム環駆動溝１１４ｄが形成されている。５群レンズ保持枠１０８の外周に形成されているフォロワピン１０８ｄは、５群駆動用カム溝１１４ａに沿って摺動する。駆動環１１４の駆動環駆動用カム溝１１４ｃは、平坦部とリフト部を備えており、図６の収納位置に対して撮影待機位置が光軸方向において撮像センサ１８側に位置するように形成されている。そのため、駆動環１１４が回転動作を行うと、固定カム環１１３のフォロワピン１１３ｊとが駆動環駆動用カム溝１１４ｃが係合し、駆動環１１４が光軸方向において被写体側に移動する。したがって、４群レンズ保持枠１０７を保持する５群レンズ保持枠１０８の光軸方向への移動量は、駆動環１１４の５群駆動用カム溝１１４ａのストロークと、駆動環駆動用カム溝１１４ｃによって駆動環１１４が移動する移動ストロークを合わせた量となる。移動カム環１１２の移動カム環駆動ピン１１２ｅは、移動カム環駆動溝１１４ｄに沿って摺動する。すなわち、移動カム環１１２の光軸方向への移動は、移動カム環駆動溝１１４ｄによって規制される。移動カム環駆動溝１１４ｄは、図６に示すように、駆動環１１４の上側先端に対して所定の間隔を空けて形成されている。駆動環１１４の上側先端まで移動カム環駆動溝１１４ｄが形成されていると、そこから外部の有害光が侵入して、画質に影響を及ぼしてしまうためである。なお、本実施形態では、駆動環１１４に駆動環駆動用カム溝１１４ｃを形成し、固定環１１３にフォロワピン１１３ｊを設けているが、駆動環１１４および固定環１１３のいずれか一方にカム溝を形成し、他方にフォロワピンを設けてもよい。
【００２８】
駆動環１１４の外周には、切り欠き部１１４ｅおよびギア部１１４ｇが形成されている。ズームモータ１０９ａが駆動を開始すると、ギア列を介してギア部１１４ｇに駆動力が伝達されることで、駆動環１１４が回転する。移動カム環１１２は、固定カム環１１３のカム溝１１３ａに沿って光軸方向へ回転移動する。直進ガイド筒１１１は、移動カム環１１２と一体的に光軸方向へ移動するが、直進ガイド筒１１１の直進ガイド部１１１ｅが固定カム環１１３の直進ガイド溝１１３ｄ１，１１３ｄ２によって回転規制されているため、直進移動のみ行う。
【００２９】
以上の構成によれば、４群レンズ保持枠１０７を駆動する５群レンズ保持枠１０８をより大きなストロークで光軸方向へ移動させることができるとともに、駆動環１１４の５群駆動用カム溝１１４ａの光軸方向へのストロークは減らすことができる。
【００３０】
図７は、絞りユニット１０４および３群ユニットのＦＰＣ基板１０４ａ，１０６ａがレンズ鏡筒外部に排出されている状態を示すレンズ鏡筒の斜視図である。
【００３１】
ＦＰＣ基板１０４ａ，１０６ａは、レンズ鏡筒内部から外部に排出され、レンズ鏡筒外周に這いまわされ、本体電源ターミナル（不図示）に接続されている鏡筒メインＦＰＣ基板１２１に設けられたコネクタ１２１ｂ，１２１ｃにそれぞれ接続される。ＦＰＣ基板１０４ａ，１０６ａが鏡筒メインＦＰＣ基板１２１に設けられた電子部品と電気的に接続されることで、レンズ鏡筒内部の絞りまたはシャッタや手振れ補正機構が駆動可能となる。
【００３２】
鏡筒メインＦＰＣ基板１２１には、レンズ鏡筒の繰り出し動作時にレンズ鏡筒の初期位置を検出するための初期位置検出手段（以下、検出手段という）１２１ａが配置されており、図７のようにカバー筒１１５に取り付けられている。本実施形態では、検出手段１２１ａとしてフォトインタラプタを使用している。
【００３３】
ここで、ＦＰＣ基板１０４ａ，１０６ａと、レンズ鏡筒の外周に這いまわされている鏡筒メインＦＰＣ基板１２１との接続について説明する。
【００３４】
前述したように、固定カム環１１３にはＦＰＣ挿通穴１１３ｉが形成され、駆動環１１４にはＦＰＣ排出スリット１１４ｂが形成されている。駆動環１１４が回転動作するときに、絞りユニット１０４および３群ユニットは、直進移動するが回転動作を行わない。そのため、絞りユニット１０４および３群ユニットが駆動環１１４と干渉しないように、ＦＰＣ排出スリット１１４ｂは円周方向へ延びた長穴形状となっている。また、ＦＰＣ排出スリット１１４ｂは、駆動環１１４の５群駆動用カム溝１１４ａと干渉しないように、光軸方向において５群駆動用カム溝１１４ａから所定の間隔を空けて形成されている。カバー筒１１５には、ＦＰＣ挿通穴１１３ｉと重なるようにＦＰＣ排出穴１１５ａが形成されている。したがって、ＦＰＣ挿通穴１１３ｉ、ＦＰＣ排出スリット１１４ｂおよびＦＰＣ排出穴１１５ａはそれぞれ重なっている。そのため、レンズ鏡筒の内側からＦＰＣ挿通穴１１３ｉ、ＦＰＣ排出スリット１１４ｂ、ＦＰＣ排出穴１１５ａの順にＦＰＣ基板１０４ａ，１０６ａが通り、レンズ鏡筒の外側まで導きだされる。
【００３５】
また、ＦＰＣ排出スリット１１４ｂは、図６に示すように、円周方向に沿って非撮影時に各ＦＰＣ基板が挿通する非撮影領域、撮影時に各ＦＰＣ基板が挿通する撮影領域、および非撮影領域と撮影領域との間に位置する変位領域が形成されている。撮影領域は非撮影領域に対して光軸方向において撮像センサ１８側に形成されており、変位領域は非撮影領域と撮影領域との間でＦＰＣ基板が引っかからないように緩やかにつながるように形成されている。駆動環１１４が収納状態から撮影状態に移行する際に回転しながら光軸方向において被写体側に移動すると、ＦＰＣ排出スリット１１４ｂのスリット位置が光軸方向において撮像センサ１８側に移動する。そのため、ＦＰＣ挿通穴１１３ｉとＦＰＣ排出穴１１５ａとで形成される開口の大きさが変化することはなく、ズーム動作においてＦＰＣ基板の排出に支障はない。
【００３６】
図１に示すように、ＦＰＣ基板１０４ａ，１０６ａは、直進ガイド筒１１１の底面とセンサホルダユニット１０９との間の隙間を通り、化粧環１１０とＦＰＣガイド溝１１３ｈとの間を進む。そして、ＦＰＣ基板１０４ａ，１０６ａは、ＦＰＣ挿通穴１１３ｉ、ＦＰＣ排出スリット１１４ｂ、ＦＰＣ排出穴１１５ａを通って鏡筒外部に導き出され、鏡筒メインＦＰＣ基板１２１に設けられたコネクタ１２１ｂ，１２１ｃに接続される。ＦＰＣガイド溝１１３ｈ、ＦＰＣ挿通穴１１３ｉおよびＦＰＣ排出穴１１５ａの幅は、ＦＰＣ基板１０４ａ，１０６ａが引っ掛かりなどなく外部に導き出されるようにＦＰＣ基板１０４ａ，１０６ａの幅に対して一定の間隔があくように形成されている。このことによって、ＦＰＣ基板１０４ａ，１０６ａは、引っ掛かりなくレンズ鏡筒外部に導かれる。
【００３７】
また、図１，２に示すように、カバー筒１１５の被写体側先端１１５ｂの位置はＦＰＣ排出穴１１５ａの位置で決定し、カメラ本体カバー２０はカバー筒１１５の上部（被写体側）に配置されている。すなわち、カバー筒１１５の厚みによって、撮像装置の厚みが決定される。ＦＰＣ排出穴１１５ａの位置を低くするために、図６に示すよう、駆動環１１４のＦＰＣ排出スリット１１４ｂは、駆動環１１４の内周に形成されている５群駆動用カム溝１１４ａと干渉しない必要最低限の間隔を空けて形成されている。
【００３８】
また、本実施形態においては、図６に示すように、５群駆動用カム溝１１４ａの被写体側先端部分１１４ａ１と、ＦＰＣ排出スリット１１４ｂの非撮影領域を略同一の位置に配置している。そうすることで、駆動環１１４内のＦＰＣ排出スリット１１４ｂのスリット位置を５群駆動用カム溝１１４ａと干渉することなく、必要最小限の高さに配置することが可能となる。そうすることで、カバー筒１１５のＦＰＣ排出穴１１５ａの位置を低くすることができ、カバー筒１１５ａの厚みを減らすことが可能となる。結果としてカメラ本体の厚みを薄くし、小型化を達成することが可能となる。
【００３９】
次に、レンズ鏡筒の一連の繰り出しおよび収納動作について説明する。図８は、固定カム環１１３と駆動環１１４がレンズ鏡筒の収納状態から撮影状態に移行する様子を示す図である。
【００４０】
図８（ａ）は、レンズ鏡筒が収納状態であり、各レンズ群が沈胴している。このとき、固定カム環１１３と駆動環１１４は、駆動環１１４の駆動環駆動用カム溝１１４ｃと固定カム環１１３のフォロワピン１１３ｊによって係合している。また、ＦＰＣ基板１０４ａ，１０６ａは、固定カム環１１３のＦＰＣ挿通穴１１３ｉと駆動環１１４のＦＰＣ排出スリット１１４ｂで形成される開口部から所定の間隔をあけて外部に排出されている。
【００４１】
図８（ａ）の状態では、検出手段１２１ａは、駆動環１１４の旗状の突起部材１１４が検出手段１２１ａのスリット部（不図示）に入り込んでいる。ズームモータ１０９ａが駆動を開始すると、センサホルダユニット１０９に取り付けられたギア列を介して駆動環１１４のギア部１１４ｇに駆動力が伝達される。駆動環１１４は、駆動環駆動用カム溝１１４ｃに追従しながら回転動作を行う。また、各レンズ群は、移動カム環１１２のカム溝１１２ａ，１１２ｂに追従しながら光軸方向へ移動を開始する。
【００４２】
駆動環１１４が回転すると、駆動環１１４の突起部材１１４ｈが検出手段１２１ａのスリット部から抜け出し、検出手段１２１ａは各レンズ群が初期位置に到達したことを検出する。このとき、駆動環１１４は、図８（ｂ）に示すように、駆動環駆動用カム溝１１４ｃの形状に沿って光軸方向において被写体側に繰り出そうとしている状態である。本実施形態では、駆動環１１４の突起部材１１４ｈが検出手段１２１ａのスリット部を抜けて検出手段１２１ａが初期位置を検出するまでは駆動環１１４の繰り出し動作が行われないように、駆動環駆動用カム溝１１４ｃを形成している。そのため、駆動環１１４が繰り出すことによって、突起部材１１４ｈと検出手段１２１ａのスリット部が干渉することはない。
【００４３】
図８（ｂ）の状態から駆動環１１４を回転させると、ＦＰＣ排出スリット１１４ｂが駆動環１１４の移動軌跡に合わせて光軸方向において撮像センサ１８側に下がっているため、駆動環１１４は繰り出し動作を行う。ＦＰＣ排出スリット１１４ｂは駆動環１１４の移動軌跡に対応した形状になっているため、駆動環１１４が光軸方向へ移動を開始しても、ＦＰＣ挿通穴１１３ｉとＦＰＣ排出スリット１１４ｂで形成される開口部は変化することはない。そのため、ＦＰＣ基板１０４ａ，１０６ａは、駆動環１１４に干渉することなく、レンズ鏡筒外部の鏡筒メインＦＰＣ基板１２１と接続された状態を維持する。
【００４４】
ズームモータ１０９ａが初期位置から所定の移動量だけ駆動されると、駆動環１１４は駆動環駆動用カム溝１１４ｃの軌跡に追従した光軸方向への移動を完了し、図８（ｃ）のカメラ撮影待機位置に到達する。そのため、駆動環１１４は、撮影状態からズーミング動作を行うために、さらに回転動作を行っても、光軸方向へ移動することはない。同様に、撮影状態からズーミング動作で駆動環１１４が回転動作を行っても、ＦＰＣ排出スリット１１４ｂの形状が光軸方向へ変化することはなく、ＦＰＣ挿通穴１１３ｉとＦＰＣ排出スリット１１４ｂで形成される開口部も変化することはない。また、ＦＰＣ基板１０４ａ，１０６ａが駆動環１１４に干渉することもない。
【００４５】
さらに、ズームレンズ１０９ａを駆動することで、各レンズ群は撮影領域内の各ズーム位置に到達する。撮影状態における各ズーム位置についても、初期位置からカメラ内部で決定されている所定量だけズームモータ１０９ａを駆動することで到達することができる。
【００４６】
以上説明したように、駆動環１１４に形成された５群駆動用カム溝１１４ａにより５群レンズ保持枠１０８を光軸方向へ移動させるとともに、駆動環駆動用カム溝１１４ｃとフォロワピン１１３ｊを係合させることで、駆動環１１４を光軸方向へ移動させている。そのため、５群レンズ保持枠１０８をより大きな移動ストロークで光軸方向へ移動させることができるとともに、５群駆動用カム溝１１４ａの光軸方向への移動ストロークを減らすことが可能になる。
【００４７】
また、５群駆動用カム溝１１４ａの被写体側先端部分１１４ａ１と、ＦＰＣ排出スリット１１４ｂの非撮影領域を光軸方向において略同一の位置に配置している。そのため、ＦＰＣ排出スリット１１４ｂを必要最小限の高さに配置することが可能となるとともに、カバー筒１１５のＦＰＣ排出穴１１５ａも低い位置に配置できる。したがって、カバー筒１１５ａの厚みを減らすことが可能となり、結果としてカメラ本体の厚みを薄くし、小型化を達成することが可能となる。
【００４８】
また、駆動環１１４が光軸方向へ移動することで、駆動環１１４の移動カム環駆動溝１１４ｄの位置も光軸方向へ移動するため、移動カム環１１２の移動カム環駆動ピン１１２ｂの光軸方向への移動量を増やすことが可能となる。すなわち、移動カム環１１２の光軸方向への移動量を増やすことも可能となる。
【００４９】
また、駆動環１１４のＦＰＣ排出スリット１１４ｂの形状を駆動環１１４の移動軌跡に合わせて光軸方向へ変化させているため、駆動環１１４の回転動作によってＦＰＣ基板１０４ａ，１０６ａと外部の接続に支障が出ることはない。
【００５０】
以上、本発明の好ましい実施形態について説明したが、本発明はこれらの実施形態に限定されず、その要旨の範囲内で種々の変形及び変更が可能である。
【符号の説明】
【００５１】
１０４ａ  ＦＰＣ基板（フレキシブル基板）
１０６ａ  ＦＰＣ基板（フレキシブル基板）
１０８    レンズ保持枠
１１３    固定カム環
１１３ｊ  フォロワピン（フォロワ手段）
１１４    駆動環
１１４ａ  ５群駆動用カム溝（第１のカム溝）
１１４ｂ  ＦＰＣ排出スリット（スリット）
１１４ｃ  駆動環駆動用カム溝（第２のカム溝）
【図１】
0006478533.tif 000002
【図２】
0006478533.tif 000003
【図３】
0006478533.tif 000004
【図４】
0006478533.tif 000005
【図５】
0006478533.tif 000006
【図６】
0006478533.tif 000007
【図７】
0006478533.tif 000008
【図８】
0006478533.tif 000009